(57)【要約】【課題】ティッシュペーパーの詰め替え作業がスムーズに行えるようにしたティッシュペーパーケースを提供する。【解決手段】ティッシュペーパーＢ１を挿入するための挿入口Ａ１を有するとともに、前面部にティッシュペーパーＢ１の引き出し口Ａ２を設けており、前記挿入口Ａ１は短尺方向に沿って設けられ、前記引き出し口Ａ２は長尺方向に沿って設けられたティッシュペーパーケースとしている。また、ティッシュペーパーの詰め替え作業に使用されるティッシュペーパー梱包体は、ティッシュペーパーＢ１を収容した袋状の梱包体本体Ｂ２の一端側にティッシュペーパーＢ１の取り出し口Ｂ３を形成するための切断線Ｂ４を設けており、切断線Ｂ４の内側の部分Ｂ５の一端が、取り出し口Ｂ３が形成されたときに梱包体本体Ｂ２に繋がったまま分離しないようにしている。【選択図】図６
2012148814.tif 000002
【特許請求の範囲】
【請求項１】
ティッシュペーパー（Ｂ１）を挿入するための挿入口（Ａ１）を有するとともに、前面部にティッシュペーパー（Ｂ１）の引き出し口（Ａ２）を設けており、前記挿入口（Ａ１）は短尺方向に沿って設けられ、前記引き出し口（Ａ２）は長尺方向に沿って設けられていることを特徴とするティッシュペーパーケース。
【請求項２】
長尺方向を縦にした場合の上部に吊り下げ具（Ａ３）を設け、背面側にポケット（Ａ５）を設けた請求項１記載のティッシュペーパーケース。
【請求項３】
ティッシュペーパー（Ｂ１）を収容した袋状の梱包体本体（Ｂ２）の一端側にティッシュペーパー（Ｂ１）の取り出し口（Ｂ３）を形成するための切断線（Ｂ４）を設けており、切断線（Ｂ４）の内側の部分（Ｂ５）の一端が、取り出し口（Ｂ３）が形成されたときに梱包体本体（Ｂ２）に繋がったまま分離しないようにし、取り出し口（Ｂ３）からティッシュペーパー（Ｂ１）を、請求項１又は２記載のティッシュペーパーケースの長尺方向を縦にした場合の上部における挿入口（Ａ１）へ落下させることにより、前記ティッシュペーパーケースにティッシュペーパー（Ｂ１）を挿入できるようにしたことを特徴とするティッシュペーパー梱包体。
【発明の詳細な説明】
【技術分野】
【０００１】
この発明は、ティッシュペーパーを詰め替え可能なティッシュペーパーケース及び詰め替え用のティッシュペーパーを梱包したティッシュペーパー梱包体に関するものである。
【背景技術】
【０００２】
一般的なティッシュペーパーは主に箱型紙容器に入れられて販売使用されており、この箱型紙容器の使用後の空の紙容器の廃棄処理は取り出し口の裏面にビニールが貼着されている為そのままでは紙の再生利用は難しい。また、箱型紙容港は内容物の保護の面から厚紙でしっかりと作られている為平面的に潰せても小さくコンパクトに廃棄処理する事が難しい。
【０００３】
流通の面から見ると市場における販売価格の内、約８割が輸送費とされており、輸送に伴う二酸化炭素の排出量も環境の面で問題である。箱型の紙容器で包装されたティッシュペーパーはその使用目的も種々広範囲にわたっており特に病院や介護の現場などでテーブルや壁面等に取り付けてティッシュペーパーを使用しようとすると箱型を色々な工夫でベッド周りやテーブル周りに装着する工夫をしなくてはいけない。
【０００４】
家庭で使用する箱型の紙容器の多くは５箱セットで量販店に並び、子供を連れた主婦やお年寄りなど日常の買い物と共に購入していく際には、容量が大きく大変かさばる為、持ち帰る時に不便を感じている。幼児や赤ちゃんを連れたお母さんや、医療行為が必要な方、花粉症の方などティッシュペーパーを手放せない人達は、従来ポケットティッシュでは容量が少なく、使い勝手が悪い事から箱型紙容器のティッシュを持ち歩かなくてはいけないが、厚さがあり収納が悪く又、持ち運びに不便な為、携帯するには適していない。
【０００５】
そこで、特許文献１に記載のような、ティッシュペーパーの詰め替えが可能で、ティッシュペーパーを１枚ずつ引き出せるようにした携帯用ティッシュペーパーケースが発案されたが、図２からわかるように、ティッシュペーパーを挿入するための挿入口（ファスナー２）とティッシュペーパー引き出し口（取り出し口４）がともにケースの長尺方向に沿って設けられているため、ティッシュペーパーの束６を斜めにしてケースに押し込む必要があり、ティッシュペーパーの詰め替え作業がスムーズに行えるように十分に配慮されたものではなかった。
【先行技術文献】
【特許文献】
【０００６】
【特許文献１】特開平９−４００３９号公報
【発明の概要】
【発明が解決しようとする課題】
【０００７】
そこで、この発明は、ティッシュペーパーの詰め替え作業がスムーズに行えるようにしたティッシュペーパーケースを提供することを課題とする。
【課題を解決するための手段】
【０００８】
前記課題を解決するため、この発明は次のような技術的手段を講じている。
【０００９】
この発明のティッシュペーパーケースは、ティッシュペーパーＢ１を挿入するための挿入口Ａ１を有するとともに、前面部にティッシュペーパーＢ１の引き出し口Ａ２を設けており、前記挿入口Ａ１は短尺方向に沿って設けられ、前記引き出し口Ａ２は長尺方向に沿って設けられたものとしている。
【００１０】
また、ティッシュペーパーケースは、長尺方向を縦にした場合の上部に吊り下げ具Ａ３を設け、背面側にポケットＡ５を設けたものとすることができる。
【００１１】
そして、この発明のティッシュペーパー梱包体は、ティッシュペーパーＢ１を収容した袋状の梱包体本体Ｂ２の一端側にティッシュペーパーＢ１の取り出し口Ｂ３を形成するための切断線Ｂ４を設けており、切断線Ｂ４の内側の部分Ｂ５の一端が、取り出し口Ｂ３が形成されたときに梱包体本体Ｂ２に繋がったまま分離しないようにし、取り出し口Ｂ３からティッシュペーパーＢ１を、請求項１又は２記載のティッシュペーパーケースの長尺方向を縦にした場合の上部における挿入口Ａ１へ落下させることにより、前記ティッシュペーパーケースにティッシュペーパーＢ１を挿入できるようにしている。
【発明の効果】
【００１２】
この発明のティッシュペーパーケースは、上述のような構成を有しており、上部に挿入口Ａ１が来るように縦向きに（長尺方向を縦に）し、上方からティッシュペーパーＢ１を挿入口Ａ１に落下させることにより、ティッシュペーパーＢ１の詰め替え作業をスムーズに行うことができる。
【００１３】
また、この発明のティッシュペーパー梱包体は、収容したティッシュペーパーＢ１を前記ティッシュペーパーケースの挿入口Ａ１に落下させるのに適した構成であるとともに、ティッシュペーパーＢ１を取り出すときに分割されず、ゴミとして取扱い易いものとなっている。
【図面の簡単な説明】
【００１４】
【図１】この発明の実施形態のティッシュペーパーケースの斜視図（横向き）である。
【図２】この発明の実施形態のティッシュペーパーケースの斜視図（縦向き）である。
【図３】この発明の実施形態のティッシュペーパー梱包体の斜視図（正面側）である。
【図４】この発明の実施形態のティッシュペーパー梱包体の斜視図（背面側）である。
【図５】この発明の実施形態のティッシュペーパー梱包体の断面図である。
【図６】この発明の実施形態のティッシュペーパー梱包体の使用状態の説明図である。
【発明を実施するための形態】
【００１５】
以下、この発明の好適な実施形態を、図面を参照して説明する。
【００１６】
このティッシュペーパーケースは、ティッシュペーパーＢ１を挿入するための挿入口Ａ１を有するとともに、前面部にティッシュペーパーＢ１の引き出し口Ａ２を設けており、前記挿入口Ａ１は短尺方向に沿って設けられ、前記引き出し口Ａ２は長尺方向に沿って設けられたものとしている。
【００１７】
このティッシュペーパーケースは、略長方形の袋状で、塩化ビニル等の薄いシート状の素材を用いて構成されている、前記素材は、透明もしくは半透明などの可撓性のある糸入り樹脂シートを用いて柔軟で充分な強度を持たせることにより、重量物がティッシュペーパーケースに載った場合でも形が崩れず、車中や屋外でも活用しやすくすることができる。また、詰め替えられたティッシュペーパーの消費状況によりケースの厚みが変化するため、残量が目視できる上、バックなどに入れて持ち運びしやすく携帯用としても利用しやすく十分に使用できる。
【００１８】
ティッシュペーパーの挿入口Ａ１は、縦向きにした場合における上端部付近に短尺方向に沿って設けられ、ファスナーで開閉ができるようになっている。この実施形態では、挿入口Ａ１は、ティッシュペーパーケースの背面部を残し、前面部とその両側部までファスナーで開閉できるようにしている。そして、ティッシュペーパー挿入後、引き出し口Ａ２より、１枚ずつ（２枚重ねの場合は２枚ずつ）ティッシュペーパーを取り出すことができる。ティッシュペーパーケースの内面は、引き出し口Ａ２からティッシュペーパーを引き出し易くなるように摩擦力の少ないものとすることが望ましい。
【００１９】
このティッシュペーパーケースは、図１に示したように、横向きに（長尺方向を横に）して使用することができるが、図２に示したように、縦向き（長尺方向を縦に）して使用することもできる。縦向きにして使用する場合は、上部にフック等の吊り下げ具Ａ３を設け、壁掛けや棒などに吊るすことができる。また、両端がティッシュペーパーケースに固定されたベルトＡ４を設け、これを持ち運びの際に持てるようにしたり、ファスナー開閉時の押さえとして使用したりすることができる。
【００２０】
さらに、ティッシュペーパーケースの背面側にポケットＡ５を設け、小物やタオルを収納したり、使用済のティッシュペーパーなどを入れるためのゴミ入れにしたりなど、多目的に使用することができる。ポケットＡ５の開閉は、折曲箇所に面ファスナーや、ボタン等を用いて留めることにより、非使用時には閉じた状態にして見た目にもスッキリとしたものとすることができる。ポケットＡ５がある位置には、磁石や面ファスナーなど取り外しが可能なものを付けて、壁面に直接ティッシュペーパーケースを取り付けることもできる。
【００２１】
このティッシュペーパーケースにティッシュペーパーＢ１を挿入するには、図５等に示したティッシュペーパー梱包体を利用することができる。このティッシュペーパー梱包体は、ティッシュペーパーＢ１を収容した袋状の梱包体本体Ｂ２の一端側にティッシュペーパーＢ１の取り出し口Ｂ３を形成するための切断線Ｂ４を設けており、切断線Ｂ４の内側の部分Ｂ５の一端が、取り出し口Ｂ３が形成されたときに梱包体本体Ｂ２に繋がったまま分離しないようにしたものである。
【００２２】
図３、図４に示したように、梱包体本体Ｂ２はフィルムないしシートで構成された四角筒状であり、その長尺方向の一端側（図３、図４において左下側）にある底部Ｂ６を平面状にし、他端側である上端部Ｂ７の左右側部を折り込んでシールすることにより、内部にティッシュペーパーＢ１を収容する袋状としている。梱包体本体Ｂ２は、ポリ塩化ビニル、ポリエチレン等の合成樹脂製や、紙製とすることができる。
【００２３】
梱包体本体Ｂ２の底部Ｂ６側に設けられた切断線Ｂ４は、この実施形態では梱包体本体Ｂ２を構成するフィルムないしシートを切断した線としているが、ミシン目や肉厚を薄くして容易に切り裂いていくことができるようにした弱化線とすることもできる。切断線Ｂ４は、梱包体本体Ｂ２の長尺方向の中央より底部Ｂ６側寄りに設ければよいが、後述の取り出し口Ｂ３の形成及びティッシュペーパーＢ１のティッシュペーパーケースへの挿入をスムーズに行えるようにするため、なるべく底部Ｂ６に近い位置に設けることが望ましい。
【００２４】
この実施形態では、切断線Ｂ４は、概ね底部Ｂ６の周縁の４辺に沿って形成されているが、そのうち正面側の辺においては中央部分が他端側に向かって凸状に突出して摘み部Ｂ８を形成しており、その反対側の背面側の辺においては左右の２本の切断線Ｂ４が中央付近において他端側に向かって平行に延び、途切れた態様となっている。
【００２５】
摘み部Ｂ８には、接着テープＢ９が梱包体本体Ｂ２の他端側に跨るようにして貼り付けられており、前記接着テープＢ９を他端側から剥離し、摘み部Ｂ８をつまんで引っ張ることにより、容易に取り出し口Ｂ３を形成した状態にすることができる。切断線Ｂ４を弱化線とする場合は、接着テープＢ９を使用する必要はない。
【００２６】
取り出し口Ｂ３を形成した状態では、底部Ｂ６全体が開口した状態となるが（図６参照）、切断線Ｂ４には前記途切れた箇所が存在するため、切断線Ｂ４の内側の部分Ｂ５が、取り出し口Ｂ３が形成されたときに梱包体本体Ｂ２から分離せず、梱包体本体Ｂ２が分割されないので、不要になった使用後の梱包体本体Ｂ２は１つのゴミとして処分することができる。
【００２７】
なお、前記背面側の辺における切断線Ｂ４を、前記正面側の辺における切断線Ｂ４と同様に摘み部を形成するものとし、接着テープを梱包体本体Ｂ２の他端側に跨るようにして貼り付けてもよい。すなわち、取り出し口Ｂ３が形成されたときに、切断線Ｂ４の内側の部分Ｂ５の一端が接着テープ等で本体に繋がったままになるようにしていれば、切断線Ｂ４自体は途切れた箇所のない輪状であってもよい。
【００２８】
図５に示したように、梱包体本体Ｂ２は、ティッシュペーパーＢ１の端部が底部Ｂ６まで到達しないサイズに形成されているとともに、取り出し口Ｂ３が形成されたときに、梱包体本体Ｂ２にティッシュペーパーＢ１の底部Ｂ６側の端部より前方（図５において左方）に位置する部分が残るように切断線Ｂ４が設けられている。
【００２９】
この実施形態では、切断線Ｂ４は、正面側の前記摘み部Ｂ８を形成した箇所と、背面側の前記中央付近において他端側に向かって平行に延びた箇所を除き、底部Ｂ６の周縁の４辺に沿って設けられているため、取り出し口Ｂ３が形成されたときに、梱包体本体Ｂ２における底部Ｂ６の周縁付近の大部分が残ることになる。
【００３０】
このような構成により、ティッシュペーパーＢ１は、梱包体本体Ｂ２の残された前記前方に位置する部分によって移動方向が規制されるため、ティッシュペーパーケースへの挿入が容易になる。梱包体本体Ｂ２の残された前記前方に位置する部分は、底部Ｂ６の全周の周縁にわたるものとする必要はないが、底部Ｂ６の３辺の周縁にわたるものとすることが望ましい。
【００３１】
梱包体本体Ｂ２内のティッシュペーパーＢ１は、数十枚単位等の束にしたティッシュペーパー束体Ｂ１０を複数積層した状態で収容したものとすることができる。ティッシュペーパー束体Ｂ１０の下には、エンドペーパーを入れておくことができる。エンドペーパーを入れておくと、仕切りとなるだけでなく、ティッシュペーパーＢ１が残り少なくなったことが分かりやすくなる。また、エンドペーパーが比較的滑りやすいものであれば、ティッシュペーパー束体Ｂ１０を補充しやすくなる。
【００３２】
次に、このティッシュペーパー梱包体から、詰め替え用ティッシュペーパーＢ１を、ティッシュペーパーケースに挿入する方法を説明する。まず、ティッシュペーパー梱包体の梱包体本体Ｂ２の正面側の接着テープＢ９を他端側（上端部Ｂ７側）から剥がして摘み部Ｂ８を摘み、切断線Ｂ４の内側の部分Ｂ５を引っ張ることにより、底部Ｂ６に取り出し口Ｂ３が形成された状態にする。
【００３３】
そして、ティッシュペーパーケースの上端の挿入口Ａ１を開いた状態にするとともに、ティッシュペーパー梱包体をティッシュペーパーケースの上方に位置させ、底部Ｂ６を下に向けて、梱包体本体Ｂ２内の詰め替え用ティッシュペーパーＢ１をティッシュペーパーケースの上端の挿入口Ａ１へ落下させるだけで、詰め替え用ティッシュペーパーＢ１は、ティッシュペーパーケースに挿入される。
【００３４】
ティッシュペーパーＢ１の挿入後、ティッシュペーパーＢ１の前面側の引き出し口Ａ２より、積層ティッシュペーパー束体Ｂ１０からティッシュペーパー１を取り出すことができる。
【００３５】
このように、ティッシュペーパーケースは、縦向きにしてティッシュペーパーＢ１を挿入口Ａ１へ落下させることにより、ティッシュペーパーＢ１の詰め替え作業をスムーズに行うことができ、その後は、長尺方向に沿って設けられることにより比較的大きく開口できるようにした引き出し口Ａ２から容易にティッシュペーパーＢ１を引き出していくことができる。
【００３６】
以上がこの発明の好適な実施形態であるが、この発明は上述の実施形態の構成に限定されるものではなく、形状、寸法、材質等を適宜変更して実施することができる。
【符号の説明】
【００３７】
Ａ１  挿入口
Ａ２  引き出し口
Ａ３  吊り下げ具
Ａ５  ポケット
Ｂ１  ティッシュペーパー
Ｂ２  梱包体本体
Ｂ３  取り出し口
Ｂ４  切断線
Ｂ５  切断線の内側の部分
【図１】
2012148814.tif 000003
【図２】
2012148814.tif 000004
【図３】
2012148814.tif 000005
【図４】
2012148814.tif 000006
【図５】
2012148814.tif 000007
【図６】
2012148814.tif 000008